(57)【特許請求の範囲】
【請求項１】
ケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
前記送風機室側に配置される第１プレート部（７３）を有し、前記第１プレート部の反送風機室側にインバータ制御素子（９２）を含む各種電気部品が装着される躯体（７１）と、
前記インバータ制御素子の運転時の冷却のために、前記第１プレート部の前記送風機室側の面に装着されるヒートシンク（９４）とを備え、
前記第１プレート部の前記送風機室側の面には、水を下方に導く排水路（７３ｄ〜７３ｇ）が形成されており、
前記ヒートシンクは、前記送風機室と前記機械室とを連通する前記仕切板の第１開口（２８ａ）に対向する位置に配置されており、
前記排水路は、前記第１開口に対向する位置に設けられており、
前記ヒートシンクは、前記第１プレート部の前記送風機室側の面に装着されるフランジ部（９４ａ）と、前記フランジ部の前記送風機室側の面から前記送風機室内に向かって突出する冷却フィン（９４ｂ）とを有しており、
前記排水路は、前記フランジ部の周縁部に対向する位置に設けられる第１排水路（７３ｄ）を有している、
電装品アセンブリ（７）。
【請求項２】
前記第１プレート部（７３）の前記送風機室（Ｓ１）側の面には、前記フランジ部（９４ａ）の周縁部及び前記第１排水路（７３ｄ）を囲むように前記送風機室側に突出する環状突出部（７３ｃ）が形成されている、請求項１に記載の電装品アセンブリ（７）。
【請求項３】
前記排水路は、前記環状突出部（７３ｃ）の下部を上下方向に横切る第２排水路（７３ｅ）を有している、請求項２に記載の電装品アセンブリ（７）。
【請求項４】
前記排水路は、前記環状突出部（７３ｃ）を囲むように形成された第３排水路（７３ｆ）を有している、請求項２又は３に記載の電装品アセンブリ（７）。
【請求項５】
前記第１プレート部（７３）と前記仕切板（２８）との間には、前記環状突出部（７３ｃ）を囲む第２開口（８２ａ）を有する第２プレート部（８２）が設けられており、
前記第３排水路（７３ｆ）は、前記第２プレート部の前記第２開口の周縁部に対向する位置に設けられている、
請求項４に記載の電装品アセンブリ（７）。
【請求項６】
前記排水路は、前記ヒートシンク（９４）をネジ止めするために前記第１プレート部（７３）に形成されたネジ孔（７３ｂ）から下方に延びるように形成される第４排水路（７３ｇ）を有しており、
前記第４排水路は、前記第１排水路（７３ｄ）に連通するように設けられている、
請求項１〜５のいずれかに記載の電装品アセンブリ（７）。
【請求項７】
前記排水路（７３ｄ〜７３ｇ）は、前記第１プレート部（７３）を樹脂射出成形する際に形成される、請求項１〜６のいずれかに記載の電装品アセンブリ（７）。
【請求項８】
ケーシング（２）と、
前記ケーシングの内部を送風機室（Ｓ１）と機械室（Ｓ２）とに分割するように鉛直に延びる仕切板（２８）と、
前記機械室に配置される請求項１〜７のいずれかに記載の電装品アセンブリ（７）と、
を備えた空気調和装置の室外ユニット（１）。
【発明の詳細な説明】
【技術分野】
【０００１】
本発明は、電装品アセンブリ及びそれを備えた空気調和装置の室外ユニット、特に、ケーシングの内部が鉛直に延びる仕切板により送風機室と機械室とに分割された構造を有する空気調和装置の室外ユニットにおいて、機械室に配置される電装品アセンブリ及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリには、インバータ制御素子（例えば、パワートランジスタ、ダイオード等）を含む各種電気部品が躯体に装着されている。そして、インバータ制御素子は運転時の冷却が必要であるため、躯体の送風機室側の面には、送風機室内に向かって突出する冷却フィンを有するヒートシンクが装着されている（特許文献１参照）。
【特許文献１】特開平９−２３６２８４号公報
【発明の開示】
【発明が解決しようとする課題】
【０００３】
しかし、上述の電装品アセンブリにおいては、躯体の各種電気部品が実装される側の面（すなわち、反送風機室側の面）へ水が浸入するのを防止するために、ヒートシンクと躯体との接合部にシール材を設けるようにしており、シール材のコストがかかることや、シール材の取り付けの手間がかかること、さらには、シール材の取り付けのばらつきによる水の浸入も生じることにより品質が低下するという問題がある。
【０００４】
本発明の課題は、ケーシングの内部が鉛直に延びる仕切板により送風機室と機械室とに分割された構造を有する空気調和装置の室外ユニットにおいて、ヒートシンクと躯体との接合部にシール材を設けなくても、躯体の送風機室側の面から各種電気部品が実装される側の面へ水が浸入するのを極力防ぎ、また、躯体の送風機室側の面から各種電気部品が実装される側の面へ水が浸入したとしても躯体の外部に速やかに排出できる電装品アセンブリを提供することにある。
【課題を解決するための手段】
【０００５】
第１の発明にかかる電装品アセンブリは、ケーシングの内部が鉛直に延びる仕切板により送風機室と機械室とに分割された構造を有する空気調和装置の室外ユニットにおいて、機械室に配置される電装品アセンブリであって、躯体と、ヒートシンクとを備えている。躯体は、送風機室側に配置される第１プレート部を有し、第１プレート部の反送風機室側にインバータ制御素子を含む各種電気部品が装着される。ヒートシンクは、インバータ制御素子の運転時の冷却のために、第１プレート部の送風機室側の面に装着される。第１プレート部の送風機室側の面には、水を下方に導く排水路が形成されている。ヒートシンクは、送風機室と機械室とを連通する仕切板の第１開口に対向する位置に配置されている。排水路は、第１開口に対向する位置に設けられている。ヒートシンクは、第１プレート部の送風機室側の面に装着されるフランジ部と、フランジ部の送風機室側の面から送風機室内に向かって突出する冷却フィンとを有している。排水路は、フランジ部の周縁部に対向する位置に設けられる第１排水路を有している。
【０００６】
この電装品アセンブリでは、各種電気部品が装着される第１プレート部の送風機室側の面に排水路が形成されているため、ヒートシンクと躯体との接合部に、水の侵入を防止するためのシール材を設けなくても、躯体の送風機室側の面から各種電気部品が実装される側の面へ水が浸入するのを極力防ぎ、また、躯体の送風機室側の面から各種電気部品が実装される側の面へ水が浸入したとしても躯体の外部に速やかに排出することができる。これにより、電装品アセンブリのコストダウンを図ることができる。
【０００７】
また、この電装品アセンブリでは、排水路が送風機室と機械室とを連通する仕切板の第１開口に対向する位置に設けられているため、躯体の送風機室側の面から各種電気部品が実装される側の面へ水が浸入するのを極力防ぐ効果と、躯体の送風機室側の面から各種電気部品が実装される側の面へ水が浸入したとしても躯体の外部に速やかに排出する効果をさらに向上させることができる。
【０００８】
さらに、この電装品アセンブリでは、第１排水路がフランジ部の周縁部に対向する位置に設けられているため、ヒートシンクのフランジ部の周縁部と第１プレート部の送風機室側の面との間から水が侵入するのを極力防ぐことができる。
【０００９】
第２の発明にかかる電装品アセンブリは、第１の発明にかかる電装品アセンブリにおいて、第１プレート部の送風機室側の面には、フランジ部の周縁部及び第１排水路を囲むように送風機室側に突出する環状突出部が形成されている。
【００１０】
この電装品アセンブリでは、第１プレート部の送風機室側の面に、フランジ部の周縁部及び第１排水路を囲むように送風機室側に突出する環状突出部が形成されているため、環状突出部の外側に付着した水が環状突出部の内側に侵入しにくくなり、ヒートシンクのフランジ部の周縁部と第１プレート部の送風機室側の面との間から水が侵入するのを防ぐ効果をさらに向上させることができる。
【００１１】
第３の発明にかかる電装品アセンブリは、第１の発明にかかる電装品アセンブリにおいて、排水路は、環状突出部の下部を上下方向に横切る第２排水路を有している。
【００１２】
この電装品アセンブリでは、第２排水路が環状突出部の下部を上下方向に横切るように設けられているため、環状突出部の内側に付着して第１排水路を通じて環状突出部の下部まで導かれた水を環状突出部の内側から速やかに排出することができる。
【００１３】
第４の発明にかかる電装品アセンブリは、第２又は第３の発明にかかる電装品アセンブリにおいて、排水路は、環状突出部を囲むように形成された第３排水路を有している。
【００１４】
この電装品アセンブリでは、第３排水路が環状突出部を囲むように設けられているため、環状突出部の外側に付着した水を速やかに下方に導くことができるようになり、躯体の送風機室側の面から各種電気部品が実装される側の面へ水が浸入するのを防ぐ効果をさらに向上させることができる。
【００１５】
第５の発明にかかる電装品アセンブリは、第４の発明にかかる電装品アセンブリにおいて、第１プレート部と仕切板との間には、環状突出部を囲む第２開口を有する第２プレート部が設けられている。第３排水路は、第２プレート部の第２開口の周縁部に対向する位置に設けられている。
【００１６】
この電装品アセンブリでは、第１プレート部と仕切板との間に環状突出部を囲む第２開口を有する第２プレート部が設けられており、この第２プレート部の第２開口の周縁部に対向する位置に第３排水路が設けられているため、第２プレート部の第２開口の周縁部と第１プレート部の送風機室側の面との間から水が侵入するのを極力防ぐことができる。
【００１７】
第６の発明にかかる電装品アセンブリは、第１〜第５の発明にかかる電装品アセンブリにおいて、排水路は、ヒートシンクをネジ止めするために第１プレート部に形成されたネジ孔から下方に延びるように形成される第４排水路を有している。第４排水路は、第１排水路に連通するように設けられている。
【００１８】
この電装品アセンブリでは、第４排水路が第１排水路に連通するように設けられているため、第４排水路を通じて下方に導かれる水を第１排水路に合流させて速やかに排出することができる。
【００１９】
第７の発明にかかる電装品アセンブリは、第１〜第６の発明のいずれかにかかる電装品アセンブリにおいて、排水路は、第１プレート部を樹脂射出成形する際に形成される。
【００２０】
この電装品アセンブリでは、排水路が第１プレート部の樹脂射出成形時に形成されるため、安定した形状で成形することができ、その結果、シール材を用いる場合に比べて、安定した排水性能を得ることができる。
【００２１】
第８の発明にかかる空気調和装置の室外ユニットは、ケーシングと、ケーシングの内部を送風機室と機械室とに分割するように鉛直に延びる仕切板と、機械室に配置される第１〜第７の発明のいずれかにかかる電装品アセンブリとを備えている。
【００２２】
この空気調和装置の室外ユニットでは、第１〜第７の発明のいずれかにかかる電装品アセンブリを備えているため、水の侵入を防止するためのシール材が不要となり、室外ユニットのコストダウンを実現することができる。
【発明の効果】
【００２３】
以上の説明に述べたように、本発明によれば、以下の効果が得られる。
【００２４】
第１の発明では、ヒートシンクと躯体との接合部に、水の侵入を防止するためのシール材を設けなくても、躯体の送風機室側の面から各種電気部品が実装される側の面へ水が浸入するのを極力防ぎ、また、躯体の送風機室側の面から各種電気部品が実装される側の面へ水が浸入したとしても躯体の外部に速やかに排出することができる。これにより、電装品アセンブリのコストダウンを図ることができる。また、躯体の送風機室側の面から各種電気部品が実装される側の面へ水が浸入するのを極力防ぐ効果と、躯体の送風機室側の面から各種電気部品が実装される側の面へ水が浸入したとしても躯体の外部に速やかに排出する効果をさらに向上させることができる。さらに、ヒートシンクのフランジ部の周縁部と第１プレート部の送風機室側の面との間から水が侵入するのを極力防ぐことができる。
【００２５】
第２の発明では、第１プレート部の送風機室側の面に、フランジ部の周縁部及び第１排水路を囲むように送風機室側に突出する環状突出部が形成されているため、環状突出部の外側に付着した水が環状突出部の内側に侵入しにくくなり、ヒートシンクのフランジ部の周縁部と第１プレート部の送風機室側の面との間から水が侵入するのを防ぐ効果をさらに向上させることができる。
【００２６】
第３の発明では、環状突出部の内側に付着して第１排水路を通じて環状突出部の下部まで導かれた水を環状突出部の内側から速やかに排出することができる。
【００２７】
第４の発明では、環状突出部の外側に付着した水を速やかに下方に導くことができるようになり、躯体の送風機室側の面から各種電気部品が実装される側の面へ水が浸入するのを防ぐ効果をさらに向上させることができる。
【００２８】
第５の発明では、第２プレート部の第２開口の周縁部と第１プレート部の送風機室側の面との間から水が侵入するのを極力防ぐことができる。
【００２９】
第６の発明では、第４排水路を通じて下方に導かれる水を第１排水路に合流させて速やかに排出することができる。
【００３０】
第７の発明では、安定した形状で成形することができ、その結果、シール材を用いる場合に比べて、安定した排水性能を得ることができる。
【００３１】
第８の発明では、水の侵入を防止するためのシール材が不要となり、室外ユニットのコストダウンを実現することができる。
【発明を実施するための最良の形態】
【００３２】
以下、図面に基づいて、本発明にかかる電装品アセンブリ及びそれを備えた空気調和装置の室外ユニットの実施形態について説明する。
【００３３】
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００３４】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００３５】
（２）ユニットケーシングの構成
ユニットケーシング２は、主として、底板２１と、天板２２と、左前板２３と、右前板２４と、右側板２５とを備えている。
【００３６】
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００３７】
天板２２は、室外ユニット１の天面部分を構成する横長の略長方形状の金属製の板状部材である。
【００３８】
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００３９】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
【００４０】
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００４１】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００４２】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００４３】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００４４】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００４５】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
【００４６】
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００４７】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００４８】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。図６は、図５から仕切板２８を取り除いた状態の電装品アセンブリ７を示す図である。
【００４９】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
【００５０】
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる第１プレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側の面には、運転制御素子が実装された制御基板９１が取付プレート部７３の面に平行な状態で、複数のネジ９３を用いて装着されている。すなわち、制御基板９１の基板面は、取付プレート部７３と同様に、ユニットケーシング２の前面に対して傾斜しかつ鉛直に延びていることになる。そして、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。そして、取付プレート部７３の送風機室Ｓ１側の面には、フランジ部９４ａの外周縁を囲むように、送風機室Ｓ１側に突出する環状突出部７３ｃが形成されている。
【００５１】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が板保護プレート７６の上下方向に延びる段差とほぼ重なるように、ユニットケーシング２の前面に対して傾斜している。
【００５２】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
【００５３】
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する第２プレート部としての支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に形成された環状突出部７３ｃの外周側を囲むように第２開口としての支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように第１開口としての略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００５４】
そして、取付プレート部７３の送風機室Ｓ１側の面には、水を下方に導く排水路（具体的には、以下に説明する第１〜第４排水路７３ｄ〜７３ｇ）が形成されており、ヒートシンク９４と躯体７１との接合部に、水の侵入を防止するためのシール材を設けなくても、躯体７１の送風機室Ｓ１側の面から制御基板９１等の各種電気部品が実装される側の面へ水が浸入するのを極力防ぎ、また、躯体７１の送風機室Ｓ１側の面から制御基板９１等の各種電気部品が実装される側の面へ水が浸入したとしても躯体７１の外部に速やかに排出することができるようになっている。以下、この排水路について、図１及び図７〜１０を用いて詳細に説明する。ここで、図７は、躯体７１の取付プレート部７３をＢ方向から見た図である。図８は、図７のＥ−Ｅ断面図である。図９は、図７のＦ−Ｆ断面図である。図１０は、図７のＧ−Ｇ断面図である。
【００５５】
まず、取付プレート部７３を矢印Ａ方向から見た際において、取付プレート部７３の送風機室Ｓ１側の面には、取付プレート開口７３ａの外周側を囲むように略矩形環状の第１排水路７３ｄが形成されている。第１排水路７３ｄは、取付プレート部７３の送風機室Ｓ１側の面の一部が反送風機室Ｓ１側に凹むように形成された溝部である。第１排水路７３ｄは、その外周縁が環状突出部７３ｃによって囲まれるように形成されている。そして、第１排水路７３ｄは、ヒートシンク９４が取付プレート部７３の送風機室Ｓ１側の面に装着された状態において、フランジ部９４ａの外周縁部に対向するように配置されている。
【００５６】
また、取付プレート部７３を矢印Ａ方向から見た際において、環状突出部７３ｃには、その下部（具体的には、環状突出部７３ｃのうち、第１排水路７３ｄの最下部よりも下側に配置された水平方向に延びる部分）を上下に横切る第２排水路７３ｅが形成されている。第２排水路７３ｅは、水平方向に所定の間隔で複数（ここでは、５つ）配置されており、第１排水路７３ｄの下縁部と連通するように形成されている。より具体的には、第２排水路７３ｅは、その断面形状が環状突出部７３ｃの取付プレート部７３の送風機室Ｓ１側の面との付け根部分の上縁から環状突出部７３ｃの先端部分の下縁に向かって傾斜した形状を有しており、その矢印Ａ方向から見た形状が環状突出部７３ｃの最下部の上縁から環状突出部７３ｃの先端部分の下縁に向かって先細りした三角形状を有している。
【００５７】
また、取付プレート部７３を矢印Ａ方向から見た際において、取付プレート部７３の送風機室Ｓ１側の面には、環状突出部７３ｃの外周側を囲むように第３排水路７３ｆが形成されている。第３排水路７３ｆは、第３排水路７３ｆは、第１排水路７３ｄと同様、取付プレート部７３の送風機室Ｓ１側の面の一部が反送風機室Ｓ１側に凹むように形成された溝部である。第３排水路７３ｆは、躯体７１が躯体支持プレート８１に装着された状態において、支持プレート開口８２ａの周縁部に対向する位置に設けられている。また、躯体支持プレート８１の支持プレート部８２には、支持プレート開口８２ａの下側でかつ舌部８２ｂの上側の位置に支持プレート開口８２ａとは別の支持プレート開口８２ｃが形成されている。そして、第３排水路７３ｆは、この支持プレート開口８２ｃの周縁部に対向する位置にも設けられている。さらに、第３排水路７３ｆは、取付プレート部７３の送風機室Ｓ１側の面の下端まで延びている。このように、第３排水路７３ｆは、支持プレート開口８２ａの周縁部に対向する略矩形環状の第１部分と、この第１部分の下端に連通するとともに取付プレート部７３の下端まで延びる第２部分と、第１部分の下部及び第２部分の上部とともに支持プレート開口８２ｃの周縁部に対向する略Ｌ字形状の第３部分とを有している。そして、第３排水路７３ｆの第１部分の下部及び第３部分の下部は、第２部分に向かうにつれて下方に傾斜している。
【００５８】
さらに、ヒートシンク９４のフランジ部９４ａは、ネジ９５を用いて取付プレート部７３に装着されている。より具体的には、取付プレート部７３にはネジ９５が挿入されるネジ孔７３ｂが取付プレート開口７３ａの外周側でかつ環状突出部７３ｃの内周側に（すなわち、フランジ部９４ａの反送風機室Ｓ１側の面に対向するように）複数（ここでは、４つ）形成されており、フランジ部９４ａにはネジ孔７３ｂに対応する位置にネジ孔９４ｃが形成されており、両ネジ孔７３ｂ、９４ｃにネジ９５を挿入することで、フランジ部９４ａが取付プレート部７３に固定されている。そして、取付プレート部７３を矢印Ａ方向から見た際において、取付プレート部７３の送風機室Ｓ１側の面には、各ネジ孔７３ｂから下方に延びる第４排水路７３ｇが形成されている。各第４排水路７３ｇは、第１排水路７３ｄ及び第３排水路７３ｆと同様、取付プレート部７３の送風機室Ｓ１側の面の一部が反送風機室Ｓ１側に凹むように形成された溝部である。各第４排水路７３ｇは、第１排水路７３ｄに連通するように設けられている。
【００５９】
このように、本実施形態の電装品アセンブリ７では、取付プレート部７３の送風機室Ｓ１側の面に、水を下方に導く排水路７３ｄ〜７３ｇが形成されている。そして、これらの排水路７３ｄ〜７３ｇは、基板取付プレート７２を樹脂射出成形する際に同時に形成されるものである。
【００６０】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００６１】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００６２】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
【００６３】
（６）本実施形態の電装品アセンブリ及びそれを備えた室外ユニットの特徴
本実施形態の電装品アセンブリ７及びそれを備えた室外ユニット１には、以下のような特徴がある。
【００６４】
（Ａ）
本実施形態の電装品アセンブリ７及びそれを備えた室外ユニット１では、各種電気部品が装着される第１プレート部としての基板取付プレート７２の取付プレート部７３の送風機室Ｓ１側の面に排水路７３ｄ〜７３ｇが形成されているため、ヒートシンク９４と躯体７１との接合部に、水の侵入を防止するためのシール材を設けなくても、躯体７１の送風機室Ｓ１側の面から各種電気部品が実装される側の面へ水が浸入するのを極力防ぎ、また、躯体７１の送風機室Ｓ１側の面から各種電気部品が実装される側の面へ水が浸入したとしても躯体７１の外部に速やかに排出することができる。
【００６５】
また、排水路７３ｄ〜７３ｇが基板取付プレート７２の樹脂射出成形時に形成されるため、安定した形状で成形することができ、その結果、シール材を用いる場合に比べて、安定した排水性能を得ることができる。
【００６６】
これにより、電装品アセンブリ７のコストダウンを図ることができるとともに、室外ユニット１全体としてのコストダウンも実現することができる。
【００６７】
（Ｂ）
本実施形態の電装品アセンブリ７では、排水路７３ｄ〜７３ｇが送風機室Ｓ１と機械室Ｓ２とを連通する仕切板２８の第１開口としての仕切板開口２８ａに対向する位置に設けられているため、躯体７１の送風機室Ｓ１側の面から各種電気部品が実装される側の面へ水が浸入するのを極力防ぐ効果と、躯体７１の送風機室Ｓ１側の面から各種電気部品が実装される側の面へ水が浸入したとしても躯体７１の外部に速やかに排出する効果をさらに向上させることができる。
【００６８】
（Ｃ）
本実施形態の電装品アセンブリ７では、第１排水路７３ｄがヒートシンク９４のフランジ部９４ａの周縁部に対向する位置に設けられているため、ヒートシンク９４のフランジ部９４ａの周縁部と取付プレート部７３の送風機室Ｓ１側の面との間から水が侵入するのを極力防ぐことができる。
【００６９】
（Ｄ）
本実施形態の電装品アセンブリ７では、取付プレート部７３の送風機室Ｓ１側の面に、フランジ部９４ａの周縁部及び第１排水路７３ｄを囲むように送風機室Ｓ１側に突出する環状突出部７３ｃが形成されているため、環状突出部７３ｃの外側に付着した水が環状突出部７３ｃの内側に侵入しにくくなり、フランジ部９４ａの周縁部と取付プレート部７３の送風機室Ｓ１側の面との間から水が侵入するのを防ぐ効果をさらに向上させることができる。
【００７０】
（Ｅ）
本実施形態の電装品アセンブリ７では、第２排水路７３ｅが環状突出部７３ｃの下部を上下方向に横切るように設けられているため、環状突出部７３ｃの内側に付着して第１排水路７３ｄを通じて環状突出部７３ｃの下部まで導かれた水を環状突出部７３ｃの内側から速やかに排出することができる。
【００７１】
（Ｆ）
本実施形態の電装品アセンブリ７では、第３排水路７３ｆが環状突出部７３ｃを囲むように設けられているため、環状突出部７３ｃの外側に付着した水を速やかに下方に導くことができるようになり、躯体７１の送風機室Ｓ１側の面から各種電気部品が実装される側の面へ水が浸入するのを防ぐ効果をさらに向上させることができる。
【００７２】
また、取付プレート部７３と仕切板２８との間には第２プレート部としての躯体支持プレート８１の支持プレート部８２が設けられており、この支持プレート部８２には環状突出部７３ｃを囲む第２開口としての支持プレート開口８２ａが形成されている。そして、この支持プレート部８２の支持プレート開口８２ａの周縁部に対向する位置に第３排水路７３ｆが設けられているため、支持プレート部８２の支持プレート開口８２ａの周縁部と取付プレート部７３の送風機室Ｓ１側の面との間から水が侵入するのを極力防ぐことができる。
【００７３】
また、第３排水路７３ｆは、支持プレート開口８２ａの周縁部に対向する略矩形環状の第１部分の下端に連通するとともに取付プレート部７３の下端まで延びる第２部分を有しているため、第２排水路７３ｅから取付プレート部７３の送風機室Ｓ１側の面を伝わって第３排水路７３ｆに流入する水を速やかに躯体７１の下方に導くことができる。しかも、このとき、第３排水路７３ｆの第１部分の下部が第２部分に向かうにつれて下方に傾斜しているため、水をさらに速やかに躯体７１の下方に導くことができる。
【００７４】
（Ｇ）
本実施形態の電装品アセンブリ７では、躯体支持プレート８１に舌部８２ｂが形成されており、この舌部８２ｂがヒートシンク９４及び第２排水路７３ｅの下側に設けられているため、例えば、ヒートシンク９４の冷却フィン９４ｂや第２排水路７３ｅから取付プレート部７３の送風機室Ｓ１側の面を伝わることなく下方に水が滴下するような場合には、このような水を一旦受けて、送風機室Ｓ１内や第３排水路７３ｆの第３部分に導くことができる。
【００７５】
（Ｈ）
本実施形態の電装品アセンブリ７では、第４排水路７３ｇがヒートシンク９４をネジ止めするために取付プレート部７３に形成されたネジ孔７３ｂから下方に延びるように設けられているため、ネジ孔７３ｂを通じて各種電気部品が実装される側の面へ水が浸入するのを極力防ぎ、また、ネジ孔７３ｂから各種電気部品が実装される側の面へ水が浸入したとしても躯体７１の外部に速やかに排出することができる。
【００７６】
また、第４排水路７３ｇは第１排水路７３ｄに連通するように設けられているため、第４排水路７３ｇを通じて下方に導かれる水を第１排水路７３ｄに合流させて速やかに排出することができる。
【産業上の利用可能性】
【００７７】
本発明を利用すれば、ケーシングの内部が鉛直に延びる仕切板により送風機室と機械室とに分割された構造を有する空気調和装置の室外ユニットにおいて、ヒートシンクと躯体との接合部にシール材を設けなくても、躯体の送風機室側の面から各種電気部品が実装される側の面へ水が浸入するのを極力防ぎ、また、躯体の送風機室側の面から各種電気部品が実装される側の面へ水が浸入したとしても躯体の外部に速やかに排出できる電装品アセンブリを提供することができる。
【図面の簡単な説明】
【００７８】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】図５から仕切板を取り除いた状態を示す図である。
【図７】躯体の取付プレート部をＢ方向から見た図である。
【図８】図７のＥ−Ｅ断面図である。
【図９】図７のＦ−Ｆ断面図である。
【図１０】図７のＧ−Ｇ断面図である。
【符号の説明】
【００７９】
１  室外ユニット
２  ユニットケーシング
７  電装品アセンブリ
２８  仕切板
２８ａ  仕切板開口（第１開口）
７１  躯体
７３  取付プレート部（第１プレート部）
７３ｂ  ネジ孔
７３ｃ  環状突出部
７３ｄ〜７３ｇ  排水路
８２  支持プレート部（第２プレート部）
８２ａ  支持プレート開口（第２開口）
９２  インバータ制御素子
９４  ヒートシンク
９４ａ  フランジ部
９４ｂ  冷却フィン
Ｓ１  送風機室
Ｓ２  機械室
【図１】
0004835115.tif 000002
【図２】
0004835115.tif 000003
【図３】
0004835115.tif 000004
【図４】
0004835115.tif 000005
【図５】
0004835115.tif 000006
【図６】
0004835115.tif 000007
【図７】
0004835115.tif 000008
【図８】
0004835115.tif 000009
【図９】
0004835115.tif 000010
【図１０】
0004835115.tif 000011